(57)【要約】【課題】  板取効率をより低減させずに複数の信号線間の遅延時間差を縮めることができるプリント基板、プリント基板の製造方法を提供する。【解決手段】  平面を形成し、第１繊維と平面において第１繊維に直交する第２繊維とを有する絶縁布が配置された絶縁体と、互いに平行な複数の信号線を有し、平面において複数の信号線が第１繊維方向または第２繊維方向に対して前記複数の信号線方向が絶縁体の板取効率と複数の信号線間の所定の遅延時間差とに基づく角度の傾斜を持つように絶縁体に配線されたプリント配線とを備える。【選択図】図１
2011077237.tif 000002
【特許請求の範囲】
【請求項１】
平面を形成し、第１繊維と前記平面において前記第１繊維に直交する第２繊維とを有する絶縁布が配置された絶縁体と、
互いに平行な複数の信号線を有し、前記平面において前記複数の信号線が前記第１繊維方向または前記第２繊維方向に対して前記複数の信号線方向が前記絶縁体の板取効率と前記複数の信号線間の所定の遅延時間差とに基づく角度の傾斜を持つように前記絶縁体に配線されたプリント配線と
を備えるプリント基板。
【請求項２】
前記角度は９°であることを特徴とする請求項１に記載のプリント基板。
【請求項３】
前記所定の遅延時間差は２０ｐｓであることを特徴とする請求項１に記載のプリント基板。
【請求項４】
平面を形成し、第１繊維と前記平面において前記第１繊維に直交する第２繊維とを有する絶縁布が配置された絶縁体に、互いに平行な複数の信号線を有するプリント配線を、前記平面において前記複数の信号線の方向が前記第１繊維方向または前記第２繊維方向に対して前記絶縁体の板取効率と前記複数の信号線間の所定の遅延時間差とに基づく角度の傾斜を持つように配線するプリント基板の製造方法。
【請求項５】
前記角度は９°であることを特徴とする請求項３に記載のプリント基板の製造方法。
【請求項６】
前記所定の遅延時間差は２０ｐｓであることを特徴とする請求項４に記載のプリント基板の製造方法。
【発明の詳細な説明】
【技術分野】
【０００１】
本明細書に開示される技術は、プリント基板、プリント基板の製造方法に関する。
【背景技術】
【０００２】
プリント基板における高速伝送の周波数が３〜５ＧＨｚの領域に差し掛かっている。これにより、絶縁布がその内部に配置された絶縁体上に複数の信号線が配線されたプリント基板において、複数の信号線間の信号の遅延時間の差が生じる。以下、この遅延時間の差について説明する。図６は、ガラスクロスが配置された絶縁体によるプリント基板を示す図である。また、図７は、ガラスクロスの凹凸と信号線とを示す図である。図６に示すプリント基板７は、絶縁布としてのガラスクロス７１１に樹脂を含浸した絶縁体７１と、互いに平行な複数の信号線を含むプリント配線７２とを有する。ガラスクロス７１１は、互いに直交するガラス繊維により織られた布である。このプリント基板７において、プリント配線７２における複数の信号線は、図７に示すように、その配置位置によってガラス繊維の凹凸に対する位置が異なる。また、プリント配線７２はそのほとんどがガラス繊維に対して平行または直角となり、この場合、プリント配線７２におけるそれぞれの信号線のガラス繊維の凹凸に対する位置は常に一定となる。ガラス繊維と樹脂はその誘電率が互いに異なるため、ガラス繊維との距離が複数の信号線間の信号の遅延時間差を生じさせる。
【０００３】
この遅延時間差を解消するための技術として、信号線をジグザグに配線する技術が知られている。図８は、ジグザグに配線された信号線を示す図である。図８に示すプリント基板８において、プリント配線８２は、絶縁体７１のガラス繊維に対して、平行または垂直とならないようにジグザグに配線されている。これによって、プリント配線８２における複数の信号線それぞれのガラス繊維との距離は常に一定とはならず、複数の信号線間の信号の遅延時間差を縮めることができる。しかしながら、このジグザグ配線は、通常の配線に比べて配線長が長くなってしまうため、５〜１０ＧＨｚ領域において、高速信号を安定して伝搬させることができない。また、ジグザグ配線によれは、配線長が長くなることによる信号波形の劣化、配線密度の減少、伝送損失の増大などが生じてしまう。
【０００４】
これを解決する技術として、絶縁体に対してプリント配線を４５°傾斜させる技術が知られている。図９は、プリント配線が絶縁体に対して４５°傾斜されたプリント基板を示す図である。図９に示すプリント基板９は、複数の信号線９１１自体の経路を変えることなくジグザグ配線と同じ効果を得るため、絶縁体７１に対してプリント配線９１全体に４５°の傾斜がかけられている。これにより、信号波形の劣化、配線密度の減少、伝送損失の増大などを生じさせることなく、複数の信号線９１１間の遅延時間差が縮小する。
【先行技術文献】
【特許文献】
【０００５】
【特許文献１】特開２００８−１９３０７３号公報
【特許文献２】実開平５−１５４６７号公報
【発明の概要】
【発明が解決しようとする課題】
【０００６】
しかしながら、絶縁体７１上のプリント配線９１に４５°の傾斜をかけると、図９に示すように、傾斜をかけない場合に比べて、より大きな絶縁体７１が必要となり、結果として板取効率が極端に低減してしまう。
【０００７】
本明細書に開示する技術は、上述した問題点を解決するためになされたものであり、板取効率をより低減させずに複数の信号線間の遅延時間差を縮めることができるプリント基板、プリント基板の製造方法を提供することを目的とする。
【課題を解決するための手段】
【０００８】
上述した課題を解決するため、プリント基板は、平面を形成し、第１繊維と前記平面において前記第１繊維に直交する第２繊維とを有する絶縁布が配置された絶縁体と、互いに平行な複数の信号線を有し、前記平面において前記複数の信号線が前記第１繊維方向または前記第２繊維方向に対して前記複数の信号線方向が前記絶縁体の板取効率と前記複数の信号線間の所定の遅延時間差とに基づく角度の傾斜を持つように前記絶縁体に配線されたプリント配線とを備える。
【発明の効果】
【０００９】
板取効率をより低減させずに複数の信号線間の遅延時間差を縮めることができる。
【図面の簡単な説明】
【００１０】
【図１】本実施の形態に係るプリント基板の構成を示す図である。
【図２】本実施の形態に係るプリント基板の製造方法を示す図である。
【図３】配線パターンが形成されたフィルムを示す図である。
【図４】板取効率とプリント配線の傾斜角度との関係を示す図である。
【図５】プリント配線の傾斜角度とその遅延時間差を示す図である。
【図６】ガラスクロスが配置された絶縁体によるプリント基板を示す図である。
【図７】ガラスクロスの凹凸と信号線とを示す図である。
【図８】ジグザグに配線された信号線を示す図である。
【図９】プリント配線が絶縁体に対して４５°傾斜されたプリント基板を示す図である。
【発明を実施するための形態】
【００１１】
以下、本発明の実施の形態について図面を参照しつつ説明する。
【００１２】
まず、本実施の形態に係るプリント基板について説明する。図１は、本実施の形態に係るプリント基板の構成を示す図である。また、図２は、絶縁体を示す図である。
【００１３】
図１に示すように、本実施の形態に係るプリント基板１は、平面を形成する絶縁体１１とこの絶縁体１１の平面上に配線されたプリント配線１２とを有する。絶縁体１１には、その内部にガラスクロス１１１が配置されている。ガラスクロス１１１は、絶縁体１１の平面において互いに直交する縦のガラス繊維（第１繊維）及び横のガラス繊維（第２繊維）により織られた絶縁布である。本実施の形態において、ガラスクロス１１１の同方向のガラス繊維間のピッチは、縦：４２０μｍ／横：４４０μｍとする。また、プリント配線１２は、複数の信号線を有する。この複数の信号線は、少なくとも互いに平行となるように配線された信号線を含むものとする。また、複数の信号線が異なる方向に配線された信号線を含む場合、複数の信号線において配線長の合計が最も長い方向を複数の信号線の配線方向とする。また、プリント配線１２は、絶縁体１１の平面において、前記ガラス繊維方向に対して配線方向が９°の傾斜を持つように配線されている。
【００１４】
次に、本実施の形態に係るプリント基板の製造方法について説明する。図２は、本実施の形態に係るプリント基板の製造方法を示す図である。また、図３は、配線パターンが形成されたフィルムを示す図である。
【００１５】
図２に示すように、まず、プリント基板１の製造工程において、図３に示すような配線パターン１３１が形成されたフィルム１３に、ガラス繊維に対して９°の傾斜がかけられて絶縁体１１に貼り付けられる（Ｓ１０１）。次に、フィルム１３が貼り付けられた絶縁体１１に対し、露光処理がなされる（Ｓ１０２）。露光処理後、エッチング処理によって不必要な導体を除去することにより、絶縁体１上に配線パターン１２が形成される（Ｓ１０３）。配線パターン１２の形成後、製品としてのプリント基板１のサイズに合わせて、絶縁体１１が板取される。
【００１６】
次に、板取効率とプリント配線の傾斜角度との関係、及び傾斜角度と遅延時間差について説明する。図４は、板取効率とプリント配線の傾斜角度との関係を示す図である。図４において、縦軸は板取効率を示し、横軸はプリント配線の傾斜角度を示す。また、図５は、プリント配線の傾斜角度とその遅延時間差を示す図である。
【００１７】
図４に示すように、板取効率は、０°において最も高く、４５°において最も低い。つまり、０°〜４５°において、傾斜角度が低いほど板取効率は高くなる。また、図５に示すように、傾斜角度別に複数の信号線間の遅延時間差を測定すると、９°において遅延時間差が１７．５ｐｓとなる。一般的に複数の信号線間の遅延時間差は２０ｐｓ以下が望ましい。よって、本実施の形態において、プリント配線１２の傾斜角度は、遅延時間差が２０ｐｓ以下である傾斜角度のうち、その大きさが最小である傾斜角度である９°となる。つまり、本実施の形態に係るプリント基板１の絶縁体１１には、ガラス繊維に対して、絶縁体１１の板取効率と複数の信号線間の所定の遅延時間差に基づく傾斜角度がかけられたプリント配線１２が形成される。これにより、板取効率をより低減させずに複数の信号線間の遅延時間差及びインピーダンスの不整合を解消することができる。
【符号の説明】
【００１８】
１  プリント基板、１１  絶縁体、１２  プリント配線、１３  フィルム、１１１  ガラスクロス、１３１  配線パターン。
【図１】
2011077237.tif 000003
【図２】
2011077237.tif 000004
【図３】
2011077237.tif 000005
【図４】
2011077237.tif 000006
【図５】
2011077237.tif 000007
【図６】
2011077237.tif 000008
【図７】
2011077237.tif 000009
【図８】
2011077237.tif 000010
【図９】
2011077237.tif 000011